(57)【特許請求の範囲】
【請求項１】
多数の換気孔を設けた換気板と換気板に直交するウエブ板を備えるとともに換気板とウエブ板の各先端縁にリップ溝を有するアングル形換気見切材に、換気見切材の換気板のリップ溝に嵌合可能な先端を有する換気板対向のフランジとウエブ板のリップ溝に嵌合可能な外方突条を有するウエブ板対向のウエブを備えるアングル状フック及びウエブの外方突条近傍からフランジとほぼ平行にのびる取り付け脚を含む複数のフック形ブラケットを、それぞれフックの先端と外方突条の換気板のリップ溝とウエブ板のリップ溝に対する嵌合状態におけるフックの換気見切材に沿う滑動を介して挿着してなるフック形ブラケット付きアングル形換気見切材であって、ブラケットのフックのウエブに、換気見切材のウエブ板に滑り摩擦係合する軟質弾性片を固定してなる、フック形ブラケット付きアングル形換気見切材。
【請求項２】
軟質弾性片が発泡プラスチック片である、請求項１記載のアングル形換気見切材。
【発明の詳細な説明】
【０００１】
【発明の属する技術分野】
この発明は、軒天井の裏部等に取り付けるフック形ブラケット付きのアングル形換気（通気）見切材に関するものである。
【０００２】
【従来の技術】
従来のこの種のフック形ブラケット付きアングル形換気見切材は、多数の換気孔を設けた換気板と換気板に直交するウエブ板（添え板）を備えるとともに換気板とウエブ板の各先端縁（自由端縁）にリップ溝を有する換気見切材に、換気見切材の換気板のリップ溝に嵌合可能な先端を有する換気板対向のフランジとウエブ板のリップ溝に嵌合可能な外方突条を有するウエブ板対向のウエブを備えるアングル状フック及びウエブの外方突条近傍からフランジとほぼ平行にのびる取り付け脚を含む複数のフック形ブラケットを、それぞれフックの先端と外方突条の換気板のリップ溝とウエブ板のリップ溝に対する嵌合状態におけるフックの換気見切材に沿う適宜の位置までの滑動（スライド）を介して挿着した後、各ブラケットのフックのウエブを換気見切材のウエブ板にリベット止めやかしめ加工等により固定することによって作製している。
【０００３】
【発明が解決しようとする課題】
しかしながらこのブラケットの換気見切材に対するリベット止めなどによる固定作業は、比較的狭いブラケットのフック内を通した作業であることから、厄介であるほか、ブラケットを固定した状態では、軒天井などの取り付け部の状況により若干の移動が望ましい場合でも、移動させることができず、取り付け上の臨機応変性（融通性）に欠けるなどの不都合がある。
【０００４】
この発明は、上記のような不都合と、ブラケットの換気見切材に対する固定状態は、使用上は比較的弱い外力に対抗できる程度（仮止め程度）で支障がないことに着眼したもので、ブラケットを換気見切材に対して、常態では滑動不能であるが、やや強い力の付与によって滑動可能に挿着することを主要な課題としている。
【０００５】
【課題を解決するための手段】
この発明によれば、上記の課題は、多数の換気孔を設けた換気板と換気板に直交するウエブ板を備えるとともに換気板とウエブ板の各先端縁にリップ溝を有するアングル形換気見切材に、換気見切材の換気板のリップ溝に嵌合可能な先端を有する換気板対向のフランジとウエブ板のリップ溝に嵌合可能な外方突条を有するウエブ板対向のウエブを備えるアングル状フック及びウエブの外方突条近傍からフランジとほぼ平行にのびる取り付け脚を含む複数のフック形ブラケットを、それぞれフックの先端と外方突条の換気板のリップ溝とウエブ板のリップ溝に対する嵌合状態におけるフックの換気見切材に沿う滑動を介して挿着してなるフック形ブラケット付きアングル形換気見切材において、ブラケットのフックのウエブに、換気見切材のウエブ板に滑り摩擦係合する軟質弾性片を固定することによって解決する。
【０００６】
ここで軟質弾性片としては、特に、発泡ウレタン片、発泡スチレン片などの軟質の発泡プラスチック片を用いることができる。
【０００７】
この発明のブラケット付き換気見切材においては、ブラケットに、そのウエブに固定する軟質弾性片の換気見切材のウエブ板に対する滑り摩擦力（滑り抵抗力）を若干上回る滑動力を付与して、換気見切材の適宜の位置まで滑動させて挿着すれば、ブラケットは該位置に少しの外力では移動出来ない状態で保持され、取り付け脚を介した軒下部材等への固定及びその後における軒下部等における取り付け状態の維持を所望通りに行うことができる。
【０００８】
【発明の実施の形態】
以下図面に基づいて、この発明のブラケット付き通気見切材の実施形態を説明する。
【０００９】
図示した実施形態では、アングル形換気見切材１１は、長さ方向に多数の換気孔１３を列設するとともに先端縁にリップ溝１４を設けた換気板１２と、先端縁にリップ溝１６を設けたウエブ板１５とを備えている。
【００１０】
他方フック形ブラケット２１は、幅の大小を問わず、換気見切材１１の換気板１２のリップ溝１４に嵌合する膨出突条状の先端２４付きフランジ２３及びウエブ板１５のリップ溝１６に嵌合するリップ状外方突条２６付きでかつ外面の凹状部に換気見切材１１のウエブ板１５に滑り摩擦係合可能な軟質の発砲プラスチック片２７を接着したウエブ２５を有するアングル状フック２２と、フック２２のウエブ２５の外方突条２６近傍からフランジ２３と平行にのびる止め穴２９付きの取り付け脚２８とを備えている。
【００１１】
この換気見切材１１と複数のブラケット２１は、換気見切材１１の換気板１２とウエブ板１５の各リップ溝１４、１６の一端から、各ブラケット２１におけるフック２２のフランジ２３の先端２４とウエブ２５の外方突条２６の一端を嵌合し、発砲プラスチック片２７のウエブ板１５に対する滑り摩擦力に抗して、ブラケット２１のフック２２を換気見切材１１に沿って所望の位置まで滑動して挿着することによって、所望のブラケット２１付き換気見切材１１とし、例えば図３に仮想線で示すように、平坦な軒天井３１の裏部の外壁３２隣接部に、取り付け脚２８の止め穴２９に対する止めねじ等の装着を介して取り付けることができる。
【００１２】
この発明のブラケット付き換気見切材は、このほか種々の形態で実施することができるもので、図示の形態に限定されるものではない。
【００１３】
【発明の効果】
この発明のブラケット付き換気見切材は、ブラケットに軟質弾性片のウエブ板に対する滑り摩擦力を少し上回る滑動力を付与して、フックを換気見切材に沿って滑動して挿着するのみで作製することができるので、作製上の厄介さがないとともに、ブラケットは換気見切材に沿って滑動可能であるので、換気見切材の取り付け部の状況に応じて、最適の位置にセットすることができる。
【図面の簡単な説明】
【図１】この発明に係るブラケット付き換気見切り材の実施形態の平面図である。
【図２】図１に示す実施形態の正面図である。
【図３】図１に示す実施形態の側面図で、取り付ける軒天井部近傍が合せて略示してある。
【符号の説明】
１１  換気見切材
１２  換気板
１３  換気孔
１４  リップ溝
１５  ウエブ板
１６  リップ溝
２１  ブラケット
２２  フック
２３  フランジ
２４  先端
２５  ウエブ
２６  外方突条
２７  発泡プラスチック片
２８  取り付け脚
２９  止め穴
３１  軒天井
３２  外壁
【図１】
0004263811.tif 000002
【図２】
0004263811.tif 000003
【図３】
0004263811.tif 000004